(57)【特許請求の範囲】
【請求項１】
コミュニケーション中である複数のユーザ端末間に同期化セッションを設定する同期化セッション設定部と、
前記複数のユーザ端末のいずれか１つにおいて選択され前記いずれか１つのユーザ端末から受信した端末制御情報に該当乃至対応し前記端末制御情報により選択された情報を前記１つのユーザ端末と異なるユーザ端末において選択可能に含む情報である制御結果データを決定し、決定された前記制御結果データを前記同期化セッションを介して前記複数のユーザ端末に送信する制御結果データ決定部と、
を備え、
コミュニケーション中である複数のユーザ端末それぞれに格納されたコミュニケーションツールが活性化され、前記同期化セッションは前記活性化されたコミュニケーションツール内に設定されることを特徴とするコミュニケーションサービス提供システム。
【請求項２】
前記同期化セッション設定部は、前記複数のユーザ端末それぞれの組込みブラウザを用いて、前記同期化セッションを設定することを特徴とする請求項１に記載のコミュニケーションサービス提供システム。
【請求項３】
前記制御結果データ決定部は、前記複数のユーザ端末のうち第１のユーザ端末において選択され前記第１のユーザ端末から受信した第１の端末制御情報に該当乃至対応し前記第１の端末制御情報により選択された情報を前記第１のユーザ端末と異なるユーザ端末において選択可能に含む情報である第１の制御結果データを前記複数のユーザ端末のうち前記第１のユーザ端末及び第２のユーザ端末のうち少なくとも１つに送信し、
前記第１のユーザ端末及び前記第２のユーザ端末は、前記第１の制御結果データを表示することを特徴とする請求項１に記載のコミュニケーションサービス提供システム。
【請求項４】
前記制御結果データ決定部は、前記第１の制御結果データが前記第２のユーザ端末に表示され選択されることによって、前記第１の制御結果データに対して発生した前記第２の端末制御情報を前記第２のユーザ端末から受信し、前記第２の端末制御情報により選択された情報を前記第２のユーザ端末と異なるユーザ端末において選択可能に含む情報を前記第１のユーザ端末に送信することを特徴とする請求項３に記載のコミュニケーションサービス提供システム。
【請求項５】
前記第１のユーザ端末は、前記第２の端末制御情報に基づいて前記第２の端末制御情報に該当する前記第２の制御結果データを決定し、決定された前記第２の制御結果データを表示することを特徴とする請求項４に記載のコミュニケーションサービス提供システム。
【請求項６】
コミュニケーション中である複数のユーザ端末間の同期化セッションを設定し、
前記複数のユーザ端末のいずれか１つにおいて選択され前記いずれか１つのユーザ端末から受信した端末制御情報に該当乃至対応し前記端末制御情報により選択された情報を前記１つのユーザ端末と異なるユーザ端末において選択可能に含む情報である制御結果データを決定し、
前記制御結果データを統合された前記同期化セッションを介して前記複数のユーザ端末に送信し、
コミュニケーション中である複数のユーザ端末それぞれに格納されたコミュニケーションツールが活性化され、前記同期化セッションは前記活性化されたコミュニケーションツール内に設定されることを特徴とするコミュニケーションサービス提供方法。
【請求項７】
前記同期化セッションを設定することは、前記複数のユーザ端末の組込みブラウザを用いて、統合された前記同期化セッションを設定することを特徴とする請求項６に記載のコミュニケーションサービス提供方法。
【請求項８】
前記複数のユーザ端末に送信することは、前記複数のユーザ端末のうち第１のユーザ端末において選択され前記第１のユーザ端末から受信した第１の端末制御情報に該当乃至対応し前記第１の端末制御情報により選択された情報を含む情報である第１の制御結果データを前記第１のユーザ端末及び前記複数のユーザ端末のうちの第２のユーザ端末の少なくとも１つに送信し、
前記第１のユーザ端末及び前記第２のユーザ端末は、前記第１の制御結果データを表示することを特徴とする請求項６に記載のコミュニケーションサービス提供方法。
【請求項９】
前記複数のユーザ端末に送信することは、
前記第１の制御結果データが前記第２のユーザ端末に表示され選択されることによって、前記第１の制御結果データに対して発生した第２の端末制御情報を前記第２のユーザ端末から受信し、
前記第２の端末制御情報により選択された情報を選択可能に含む情報を前記第１のユーザ端末に送信することを特徴とする請求項８に記載のコミュニケーションサービス提供方法。
【請求項１０】
前記第１のユーザ端末は、前記第２の端末制御情報に基づいて、前記第２の端末制御情報に該当する第２の制御結果データを決定し、決定された前記第２の制御結果データを表示することを特徴とする請求項９に記載のコミュニケーションサービス提供方法。
【請求項１１】
請求項６乃至請求項１０いずれか１項の方法を実行するためのプログラムが記録されたコンピュータで読み出し可能な記録媒体。
【請求項１２】
コミュニケーション中である複数のユーザ端末間に同期化セッションを設定するための同期化セッション設定情報および前記複数のユーザ端末のいずれか１つのユーザ端末から端末制御情報を受信する情報受信部と、
前記同期化セッション設定情報に基づいて前記複数のユーザ端末間の統合された前記同期化セッションを設定し、前記端末制御情報により選択された情報を前記１つのユーザ端末と異なるユーザ端末において選択可能に含む情報を統合された前記同期化セッションを介して前記複数のユーザ端末に送信する同期化セッション設定部と、
を備え、
コミュニケーション中である複数のユーザ端末それぞれに格納されたコミュニケーションツールが活性化され、前記同期化セッションは前記活性化されたコミュニケーションツール内に設定されることを特徴とするコミュニケーションサービス提供システム。
【請求項１３】
前記同期化セッション設定部は、前記複数のユーザ端末それぞれに組込みブラウザを用いて前記同期化セッションを設定することを特徴とする請求項１２に記載のコミュニケーションサービス提供システム。
【請求項１４】
前記同期化セッション設定部は、前記複数のユーザ端末のうち第１のユーザ端末から受信した前記端末制御情報のうちの第１の端末制御情報により選択された情報を選択可能に含む情報を第２のユーザ端末に送信し、
前記第２のユーザ端末は、前記第１の端末制御情報を選択可能に含む情報に該当するブラウザ画面を表示することを特徴とする請求項１２に記載のコミュニケーションサービス提供システム。
【請求項１５】
コミュニケーション中である複数のユーザ端末間の統合された同期化セッションを設定するための同期化セッション設定情報および前記複数のユーザ端末のいずれか１つのユーザ端末から端末制御情報を受信し、
前記同期化セッション設定情報に基づいて前記複数のユーザ端末間に前記同期化セッションを設定し、
前記端末制御情報により選択された情報を前記１つのユーザ端末と異なるユーザ端末において選択可能に含む情報を前記同期化セッションを介して前記複数のユーザ端末に送信し、
コミュニケーション中である複数のユーザ端末それぞれに格納されたコミュニケーションツールが活性化され、前記同期化セッションは前記活性化されたコミュニケーションツール内に設定されることを特徴とするコミュニケーションサービス提供方法。
【請求項１６】
前記同期化セッションを設定することは、前記複数のユーザ端末それぞれの組込みブラウザを用いて統合された前記同期化セッションを設定することを特徴とする請求項１５に記載のコミュニケーションサービス提供方法。
【請求項１７】
前記複数のユーザ端末に送信することは、前記複数のユーザ端末のうち第１のユーザ端末から受信した前記端末制御情報のうちの第１の端末制御情報により選択された情報を選択可能に含む情報を第２のユーザ端末に送信し、
前記第２のユーザ端末は、前記第１の端末制御情報を選択可能に含む情報に該当するブラウザ画面を表示することを特徴とする請求項１５に記載のコミュニケーションサービス提供方法。
【請求項１８】
請求項１５乃至請求項１７のいずれか１項の方法を実行するためのプログラムが記録されたコンピュータで読み出し可能な記録媒体。
【請求項１９】
前記端末制御情報は、広告選択情報、チケット前売り情報、検索サービス情報、ショッピング情報のうち少なくとも１つが選択されたことを示す情報を含むことを特徴とする請求項１または請求項１２に記載のコミュニケーションサービス提供システム。
【請求項２０】
前記端末制御情報は、広告選択情報、チケット前売り情報、検索サービス情報、ショッピング情報のうち少なくとも１つが選択されたことを示す情報を含むことを特徴とする請求項６または請求項１５に記載のコミュニケーションサービス提供方法。
【発明の詳細な説明】
【技術分野】
【０００１】
本発明は、メッセンジャ、映像通話、音声通話、ソーシャルネットワークサービス（Ｓｏｃｉａｌ  Ｎｅｔｗｏｒｋ  Ｓｅｒｖｉｃｅ：ＳＮＳ）などのコミュニケーションサービスを用いる複数のユーザ端末にデータを提供するコミュニケーションサービス提供システム及びコミュニケーションサービス提供方法に関する。
【背景技術】
【０００２】
通信技術の発展に伴ってデスクトップ（ｄｅｓｋｔｏｐ）パーソナルコンピュータなどの固定端末だけではなく、スマートフォン（ｓｍａｒｔｐｈｏｎｅ）のような携帯端末でもメッセンジャ、映像通話、音声通話、ソーシャルネットワークサービスなどの様々なコミュニケーションサービスが用いられている。
【０００３】
ソーシャルネットワークサービスは、インターネットでユーザ自身を中心に他のユーザと社会的な関係を築き、ユーザの関心及び個性などを互いに共有するサービスである。近年、ソーシャルネットワークサービスと共に、ユーザの間に情報やデータだけではなく、ユーザの関心及び個性などを互いに共有するコミュニケーションサービスの関心が高まっている。
【０００４】
しかし、従来のクライアント−サーバベースのシステムは、クライアントから制御情報を受信し、制御情報に該当する制御結果データを、制御情報を要請した該当クライアントにのみ送信している。
【０００５】
これによって、メッセンジャに登録されたユーザ、社会的な関係を築いたユーザ、映像または音声通話中であるユーザのように、コミュニケーションサービスを用いるユーザが有しているユーザ端末を統合して制御することのできるコミュニケーションサービス技術が求められている。
【先行技術文献】
【特許文献】
【０００６】
【特許文献１】韓国登録特許第１０−１０６３５３３号公報
【発明の概要】
【発明が解決しようとする課題】
【０００７】
本発明の目的は、コミュニケーションサービスを用いる複数のユーザ端末が他のユーザの端末を制御できるように仮想の同期化セッションを提供するコミュニケーションサービス提供システム及びコミュニケーションサービス提供方法を提供することにある。
【０００８】
本発明の目的は、コミュニケーションサービスを用いるユーザが有しているユーザ端末に同期化セッションを用いて広告、関心情報、検索サービス、チケット前売りサービスなどを提供することによって広告主の商品またはサービス購入を誘引し、通話するときユーザ間の共通話題を誘導するコミュニケーションサービス提供システム及びコミュニケーションサービス提供方法を提供することにある。
【課題を解決するための手段】
【０００９】
本発明の一実施形態に係るコミュニケーションサービス提供システムは、コミュニケーション中である複数のユーザ端末間に同期化セッションを設定する同期化セッション設定部と、複数のユーザ端末のいずれか１つにおいて選択され前記いずれか１つのユーザ端末から受信した端末制御情報に該当乃至対応し前記端末制御情報により選択された情報を前記１つのユーザ端末と異なるユーザ端末において選択可能に選択可能に含む情報である制御結果データを決定し、決定された制御結果データを統合された同期化セッションを介して複数のユーザ端末に送信する制御結果データ決定部とを備え、コミュニケーション中である複数のユーザ端末それぞれに格納されたコミュニケーションツールが活性化され、前記同期化セッションは前記活性化されたコミュニケーションツール内に設定される。ここに同期化セッションは、複数のユーザ端末間の統合されたセッションであるということもできる。
【００１０】
また、同期化セッション設定部は、複数のユーザ端末それぞれの組込みブラウザを用いて、同期化セッションを設定してもよい。
【００１１】
また、制御結果データ決定部は、複数のユーザ端末のうち第１のユーザ端末から受信した第１の端末制御情報に該当乃至対応する第１の制御結果データを複数のユーザ端末のうちの前記第１のユーザ端末及び第２のユーザ端末のうち少なくとも１つに送信してもよく、これによって第１のユーザ端末及び第２のユーザ端末は、第１の制御結果データを表示してもよい。
【００１２】
また、制御結果データ決定部は、第１の制御結果データが第２のユーザ端末に表示され選択されることによって、第１の制御結果データに対して発生した第２の端末制御情報を前記第２のユーザ端末から受信し、第２の端末制御情報により選択された情報を前記第２のユーザ端末と異なるユーザ端末において選択可能に含む情報を第１のユーザ端末に送信してもよい。
【００１３】
本発明の一実施形態に係るコミュニケーションサービス提供方法は、コミュニケーション中である複数のユーザ端末間に同期化セッションを設定し、複数のユーザ端末のいずれか１つから受信した端末制御情報に該当ないし対応する制御結果データを決定し、制御結果データを統合された同期化セッションを介して複数のユーザ端末に送信してもよい。ここで、コミュニケーション中である複数のユーザ端末それぞれに格納されたコミュニケーションツールが活性化され、前記同期化セッションは前記活性化されたコミュニケーションツール内に設定されてもよい。
【００１４】
本発明の一実施形態に係るコミュニケーションサービス提供システムは、コミュニケーション中である複数のユーザ端末間に同期化セッションを設定するための同期化セッション設定情報および前記複数のユーザ端末のいずれか１つのユーザ端末から端末制御情報を受信する情報受信部と、同期化セッション設定情報に基づいて複数のユーザ端末間の統合された同期化セッションを設定し、端末制御情報により選択された情報を前記１つのユーザ端末と異なるユーザ端末において選択可能に含む情報を統合された同期化セッションを介して複数のユーザ端末に送信する同期化セッション設定部とを備える。ここで、コミュニケーション中である複数のユーザ端末それぞれに格納されたコミュニケーションツールが活性化され、前記同期化セッションは前記活性化されたコミュニケーションツール内に設定されてもよい。
【００１５】
また、同期化セッション設定部は、複数のユーザ端末それぞれの組込みブラウザを用いて統合された同期化セッションを設定してもよい。
【００１６】
また、同期化セッション設定部は、複数のユーザ端末のうち第１のユーザ端末から受信した第１の端末制御情報を加工して第２のユーザ端末に送信し、第２のユーザ端末は、加工された第１の端末制御情報に該当するブラウザ画面を表示してもよい。
【００１７】
本発明の一実施形態に係るコミュニケーションサービス提供方法は、コミュニケーション中である複数のユーザ端末間の統合された同期化セッションを設定するための同期化セッション設定情報および前記複数のユーザ端末のいずれか１つのユーザ端末から端末制御情報を受信し、同期化セッション設定情報に基づいて複数のユーザ端末間の統合された同期化セッションを設定し、端末制御情報により選択された情報を前記１つのユーザ端末と異なるユーザ端末において選択可能に含む情報を統合された同期化セッションを介して複数のユーザ端末に送信することを含んでもよい。ここで、コミュニケーション中である複数のユーザ端末それぞれに格納されたコミュニケーションツールが活性化され、前記同期化セッションは前記活性化されたコミュニケーションツール内に設定されてもよい。
【発明の効果】
【００１８】
本発明によると、コミュニケーションサービスを用いる複数のユーザ端末が他のユーザの端末を制御できるように統合された仮想の同期化セッションを提供することができる。
【００１９】
本発明によると、コミュニケーションサービスを用いるユーザが有しているユーザ端末に同期化セッションを用いて広告、関心情報、検索サービス、チケット前売りサービスなどを提供することによって、広告主の商品またはサービス購入を誘引し、通話するときユーザ間の共通話題を誘導するコミュニケーションサービス提供システム及び方法を提供することができる。
【図面の簡単な説明】
【００２０】
【図１】本発明の第１実施形態に係るコミュニケーションサービス提供システムの構成を示すブロック図である。
【図２】本発明の第２実施形態に係るコミュニケーションサービス提供システムの構成を示すブロック図である。
【図３】本発明の第１実施形態に係るコミュニケーションサービス提供システムの構成を示すブロック図である。
【図４】本発明の第１実施形態に係るコミュニケーションサービス提供システムで同期化セッションを介して送信した制御結果データを表示する例を示す図である。
【図５】本発明の第１実施形態に係るコミュニケーションサービス提供システムで同期化セッションを介して送信した制御結果データを表示する例を示す図である。
【図６】本発明の第１実施形態に係るコミュニケーションサービス提供システムで同期化セッションを介して送信した制御結果データを表示する例を示す図である。
【図７】本発明の第２実施形態に係るコミュニケーションサービス提供システムの構成を示すブロック図である。
【図８】本発明の第２実施形態に係るコミュニケーションサービス提供システムで同期化セッションを介して送信した制御結果データを表示する示を示す図である。
【図９】本発明の第１実施形態に係るコミュニケーションサービス提供システムの動作を説明するフローチャートである。
【図１０】本発明の第２実施形態に係るコミュニケーションサービス提供システムの動作を説明するフローチャートである。
【発明を実施するための形態】
【００２１】
以下、本発明の実施形態を添付する図面を参照しながら詳細に説明する。
【００２２】
図１は、本発明の第１実施形態に係るコミュニケーションサービス提供システムの構成を示すブロック図である。
【００２３】
図１によると、コミュニケーションサービス提供システム１００は、コミュニケーションサービスを用いる複数のユーザ端末間に同期化セッションを設定する。例えば、コミュニケーションサービスは、映像通話サービス、音声通話サービス、ソーシャルネットワークサービス、メッセンジャサービスなどを含んでもよい。
【００２４】
一例として、コミュニケーション中である複数のユーザ端末それぞれには、コミュニケーションツールが格納されてもよい。ここで、コミュニケーションツールは、コミュニケーションサービスを提供するアプリケーションである。例えば、ユーザ端末（１）１０２のコミュニケーションツール（１）１０３に組込みブラウザ（１）（Ｅｍｂｅｄｄｅｄ  Ｂｒｏｗｓｅｒ）１０４は、ユーザ１によって同期化セッション設定情報を選択する。そして、コミュニケーションツール（１）１０３は、選択された同期化セッション設定情報をコミュニケーションサービス提供システム１００に送信してもよい。コミュニケーション中である複数のユーザ端末それぞれに格納されたコミュニケーションツールが活性化され、前記同期化セッションは前記活性化されたコミュニケーションツール内に設定されてもよい。
【００２５】
これによって、コミュニケーションサービス提供システム１００は、ユーザ端末（１）１０２と現在のコミュニケーションサービスを用いているユーザ端末（２）１０５を同期化するための仮想ブラウザセッション１０１を設定してもよい。言い換えれば、コミュニケーションサービス提供システム１００は、１つの統合された仮想ブラウザセッション１０１を用いてユーザ端末（１）１０２のブラウザ（１）１０４とユーザ端末（２）１０５のブラウザ（２）１０７間の同期化を行なってもよい。このような同期化によって、ユーザ端末（１）１０２及びユーザ端末（２）１０５には広告などのように同一の情報が表示されてもよい。このような意味で、複数のユーザ端末間に設定された同期化セッションは、統合された同期化セッションということができる場合がある。
【００２６】
また、コミュニケーションサービスを用いる複数のユーザ端末のいずれか１つの端末から端末制御情報を受信した場合、コミュニケーションサービス提供システム１００は、端末制御情報に該当乃至対応する制御結果データを決定してもよい。ここで、端末制御情報は、広告選択情報、チケット前売り情報、検索サービス情報、ショッピング情報のうち少なくとも１つを含んでもよい。そして、コミュニケーションサービス提供システム１００は、制御結果データを複数のユーザ端末に送信してもよい。これによって、複数のユーザ端末は制御結果データをそれぞれ表示してもよい。
【００２７】
一例として、ユーザ端末（１）１０２に表示される端末制御情報がユーザ１によって選択された場合、ユーザ端末（１）１０２は端末２制御情報をコミュニケーションサービス提供システム１００に送信してもよい。例えば、ユーザ端末（１）１０２に表示される広告が選択された場合、ユーザ端末（１）１０２は、広告選択情報を含む端末２制御情報をコミュニケーションサービス提供システム１００に送信してもよい。
【００２８】
これによって、コミュニケーションサービス提供システム１００は、端末２制御情報に該当乃至対応する制御結果データ１を決定してもよい。そして、コミュニケーションサービス提供システム１００は、決定された制御結果データ１をユーザ端末（１）１０２及びユーザ端末（２）１０５に送信してもよい。例えば、コミュニケーションサービス提供システム１００は、広告データベース（図示せず）にユーザ端末（１）１０２によって選択された広告に該当する広告ウェブページを決定し、決定された広告ウェブページをユーザ端末（１）１０２及びユーザ端末（２）１０５に送信してもよい。これによって、ユーザ端末（１）１０２及びユーザ端末（２）１０５は、広告ウェブページを表示してもよい。このように、ユーザ端末（２）１０５は広告を選択していないが、ユーザ端末（１）１０２と同期化が設定されることでコミュニケーションサービスを用いる途中にはユーザ端末（１）１０２が選択した端末２制御情報に該当する制御結果データ１を表示してもよい。これによって、ブラウザ（１）１０４及びブラウザ（２）１０７それぞれは、互いに同一の制御結果データ１が表示される。これによって、ユーザ１とユーザ２との間に共通話題を誘導し、広告主の商品またはサービス購入を誘引することができる。
【００２９】
図１に示すように、コミュニケーションサービス提供システム１００の仮想ブラウザセッション１０１が端末制御情報に該当する制御結果データを決定し、仮想ブラウザセッション１０１がブラウザ画面形態の制御結果データを直接ユーザ端末に提供することについて説明した。その他に、仮想ブラウザセッション１０１は、端末制御情報を加工してユーザ端末に送信してもよい。以下においては、端末制御情報を送信する構成について図２を参照して詳細に説明する。
【００３０】
図２は、本発明の第２実施形態に係るコミュニケーションサービス提供システムの構成を示すブロック図である。
【００３１】
図２によると、コミュニケーションサービス提供システム２００は、コミュニケーションサービスを用いる複数のユーザ端末間の統合された同期化セッションを設定してもよい。一例として、ユーザ端末（１）２０２に組込まれていないコミュニケーションツール（１）２０３は、ユーザ端末（１）２０２にブラウザ（１）２０４を生成し、ユーザ端末（１）２０２はブラウザ（１）２０４を介してユーザ１によって選択された同期化セッション設定情報をコミュニケーションサービス提供システム２００に送信してもよい。コミュニケーション中である複数のユーザ端末それぞれに格納されたコミュニケーションツールが活性化され、前記同期化セッションは前記活性化されたコミュニケーションツール内に設定されてもよい。
【００３２】
これによって、コミュニケーションサービス提供システム２００は、ユーザ端末（１）２０２と現在のコミュニケーションサービスを用いているユーザ端末（２）２０５を同期化するための統合された仮想ブラウザセッション２０１を設定してもよい。言い換えれば、コミュニケーションサービス提供システム２００は、１つの統合された仮想ブラウザセッション２０１をブラウザ（１）２０４とブラウザ（２）２０７との間の同期化を設定してもよい。いいかえると、コミュニケーションサービス提供システム２００は、１つの統合された仮想ブラウザセッション２０１をブラウザ（１）２０４とブラウザ（２）２０７との間に確立し、ブラウザ（１）２０４とブラウザ（２）２０７とを同期化する。
【００３３】
ここで、コミュニケーションサービスを用いる複数のユーザ端末のいずれか１つの端末から端末制御情報を受信した場合、コミュニケーションサービス提供システム２００は、受信した端末制御情報を加工して他のユーザ端末に送信してもよい。ここで、他のユーザ端末は、コミュニケーションサービスを用いる複数のユーザ端末のうち、端末制御情報を送信した端末を除いた端末である。そして、端末制御情報は、広告選択情報、チケット前売り情報、検索サービス情報、ショッピング情報のうち少なくとも１つを含んでもよい。
【００３４】
一例として、ユーザ端末（１）２０２に表示される端末制御情報がユーザ１によって選択された場合、ユーザ端末（１）２０２は、端末２制御情報をコミュニケーションサービス提供システム２００に送信してもよい。例えば、ユーザ端末（１）２０２に表示される広告が選択された場合、ユーザ端末（１）２０２は、広告選択情報を含む端末２制御情報をコミュニケーションサービス提供システム２００に送信してもよい。これによって、コミュニケーションサービス提供システム２００は、広告選択情報を加工してユーザ端末（２）２０５に送信してもよい。例えば、コミュニケーションサービス提供システム２００は、「広告が選択される」ことを含むように広告選択情報を加工してユーザ端末（２）２０５に送信してもよい。これによって、コミュニケーションツール（２）２０６は、加工された広告選択情報に基づいてブラウザ（２）２０７を介して広告が選択されるように表示してもよい。
【００３５】
図２を参照して説明したように、図２に示すユーザ端末（２）２０５は、端末制御情報を選択することなく、ユーザ端末（１）２０２が端末制御情報を選択した場合、ユーザ端末（２）２０５には、端末制御情報を選択するブラウザ画面が表示された後、端末制御情報に該当乃至対応する制御結果データが表示されてもよい。そして、図１に示すユーザ端末（２）１０５は端末制御情報を選択することなく、ユーザ端末（１）１０２が端末制御情報を選択した場合、ユーザ端末（２）１０５には、端末制御情報に該当乃至対応する制御結果データが直ちに表示されてもよい。
【００３６】
図１及び図２では、ユーザ端末（１）から同期化セッション設定情報と端末制御情報をコミュニケーションサービス提供システムに送信することについて説明したが、これは本発明の一実施形態に該当し、別の実施形態においては、ユーザ端末（２）も同期化セッション設定情報及び端末制御情報をコミュニケーションサービス提供システムに送信してもよい。
【００３７】
図３は、本発明の第１実施形態に係るコミュニケーションサービス提供システムの構成を示すブロック図である。
【００３８】
図３に示すように、コミュニケーションサービス提供システム３００は、情報受信部３０１、同期化セッション設定部３０２、および制御結果データ決定部３０３を備えてもよい。
【００３９】
まず、情報受信部３０１は、コミュニケーションサービスを用いる複数のユーザ端末間の統合された同期化セッションを設定するための同期化セッション設定情報を複数のユーザ端末のいずれか１つから受信してもよい。例えば、コミュニケーションサービスは、映像通話サービス、音声通話サービス、ソーシャルネットワークサービス及びメッセンジャサービスなどを含んでもよい。
【００４０】
一例として、コミュニケーションサービスで映像通話サービスが用いられる場合、情報受信部３０１は、映像通話中であるユーザが有しているユーザ端末のいずれか１つから同期化セッション設定情報を受信してもよい。
【００４１】
これによって、同期化セッション設定部３０２は、同期化セッション設定情報に基づいてコミュニケーションサービスを用いる複数のユーザ端末間の統合された同期化セッションを設定してもよい。ここで、コミュニケーション中である複数のユーザ端末それぞれに格納されたコミュニケーションツールが活性化され、前記同期化セッションは前記活性化されたコミュニケーションツール内に設定されてもよい。ここで、同期化セッション設定部３０２は、仮想のブラウザセッションと複数のユーザ端末それぞれのコミュニケーションツールに組込みブラウザを用いて統合された同期化セッションを設定してもよい。このように、コミュニケーションサービス提供システム３００と複数のユーザ端末間に同期化が設定されることによって、コミュニケーションサービスを利用中である複数のユーザ端末は、同一の広告などを表示するように、同一の情報を表示してもよい。
【００４２】
ここで、複数のユーザ端末に表示される情報が複数のユーザのいずれか１つのユーザによって選択されることで端末制御情報が受信された場合、制御結果データ決定部３０３は、端末制御情報に該当する制御結果データを決定してもよい。ここで、端末制御情報は、広告選択情報、チケット前売り情報、検索サービス情報、ショッピング情報のうち少なくとも１つを含んでもよい。そして、制御結果データ決定部３０３は、決定された制御結果データをコミュニケーションサービスを利用中である複数のユーザ端末に送信してもよい。ここで、制御結果データ決定部３０３は、ウェブブラウザ形態の制御結果データを複数のユーザ端末に送信してもよい。
【００４３】
一例として、ユーザ端末（１）３０４から広告選択情報が受信された場合、制御結果データ決定部３０３は、広告データベース（図示せず）から広告選択情報に該当乃至対応する広告を決定してもよい。そして、制御結果データ決定部３０３は、決定された広告に対する広告ウェブページを制御結果データとしてユーザ端末（１）３０４及びユーザ端末（２）３０５に送信してもよい。これによって、ユーザ端末（２）３０５のユーザ２は広告を選択しなくてもユーザ端末（１）３０４のユーザ１によって選択された広告に該当する広告ウェブページを表示してもよい。ここで、ユーザ端末（１）３０４は選択した広告に該当する広告ウェブページを表示してもよい。
【００４４】
他の例として、ユーザ端末（１）３０４からチケット前売り情報が受信された場合、制御結果データ決定部３０３は、チケット前売りデータベース（図示せず）からチケット前売り情報に基づいて前売りしようとするチケットの時間、座席などを制御結果データとして決定してもよい。そして、制御結果データ決定部３０３は、決定された制御結果データをウェブブラウザに表示などされる形態でユーザ端末（１）３０４及びユーザ端末（２）３０５に送信してもよい。これによって、ユーザ端末（１）３０４及びユーザ端末（２）３０５はユーザ（１）によって選択された前売りしようとするチケットの時間、座席などの制御結果データを表示してもよい。これによって、ユーザ（１）及びユーザ（２）には、互いに満足する公演または交通手段のチケットの前売りの機会が与えられるようにしてもよい。
【００４５】
他の例として、ユーザ端末（１）３０４から検索サービス情報が受信された場合、制御結果データ決定部３０３は、検索データベース（図示せず）から検索サービス情報に該当乃至対応する検索結果を制御結果データとしてユーザ端末（１）３０４及びユーザ端末（２）３０５に送信してもよい。言い換えれば、制御結果データ決定部３０３は、ユーザ（１）によって入力された検索語に該当する検索結果をウェブブラウザに表示などされる形態のデータとしてユーザ端末（１）３０４及びユーザ端末（２）３０５に送信してもよい。これによって、ユーザ端末（１）３０４及びユーザ端末（２）３０５はユーザ１が入力した検索語に該当する検索結果を表示してもよい。
【００４６】
他の例として、ユーザ端末（１）３０４からショッピング情報が受信された場合、制御結果データ決定部３０３は、ショッピング情報データベース（図示せず）からショッピング情報に該当する製品情報を決定し、決定された製品情報を制御結果データとしてユーザ端末（１）３０４及びユーザ端末（２）３０５に送信してもよい。これによって、ユーザ端末（１）３０４及びユーザ端末（２）３０５は、ユーザ１によって選択された製品の製品情報を表示してもよい。これによって、ユーザ１及びユーザ２は製品に対する意見を互いにやり取りして優れた製品を購入することができる。
【００４７】
また、制御結果データ決定部３０３は、表示された制御結果データに対して発生した端末制御情報を受信し、受信された端末制御情報を加工してユーザ端末に送信してもよい。
【００４８】
一例として、ユーザ端末（２）３０５にユーザ１によって選択された端末制御情報１に該当する制御結果データ１が表示された状態で、ユーザ２によって端末制御情報２が選択された場合、制御結果データ決定部３０３は端末制御情報２に該当する制御結果データ２を加工してユーザ端末（１）３０４に送信してもよい。例えば、ユーザ端末（２）３０５は、ユーザ１によって選択された公演時間に該当する制御結果データを表示してもよい。ここで、ユーザ２によって公演時間の座席が選択された場合、ユーザ端末（２）３０５は、選択された座席のチケット前売り情報をコミュニケーションサービス提供システム３００に送信してもよい。これによって、制御結果データ決定部３０３は、選択された座席のチケット前売り情報に該当する制御結果データをユーザ端末（１）３０４及びユーザ端末（２）３０５に送信してもよい。
【００４９】
図４は、本発明の第１実施形態に係るコミュニケーションサービス提供システムで同期化セッションを介して送信した制御結果データを表示する例を示す図である。
【００５０】
図４によると、サービス提供システムは、ユーザ端末１から受信した端末制御情報に該当乃至対応する制御結果データをウェブブラウザ形態にユーザ端末１及びユーザ端末２に送信してもよい。
【００５１】
例えば、ユーザ端末１及びユーザ端末２が映像通話サービスを使用し、ユーザ１によって広告４０２が選択された場合、コミュニケーションサービス提供システムは、ユーザ端末１から受信した広告選択情報に該当乃至対応する広告ウェブページをユーザ端末１及びユーザ端末２に送信してもよい。これによって、ユーザ端末１のコミュニケーションツール１は映像通話中であるユーザ２を表示４０１する代わりに、ユーザ端末１の全体画面に広告ウェブページ４０５を表示する。同様に、ユーザ端末２のコミュニケーションツール２は、映像通話中であるユーザ１を表示４０３する代わりに、ユーザ端末２の全体画面に広告ウェブページ４０５を表示する。
【００５２】
図５は、本発明の第１実施形態に係るコミュニケーションサービス提供システムで同期化セッションを介して送信した制御結果データを表示する例を示す図である。
【００５３】
図５によると、ユーザ端末１及びユーザ端末２が映像通話サービスを使用し、ユーザ１によって広告５０２が選択された場合、コミュニケーションサービス提供システムは、ユーザ端末１から受信した広告選択情報に該当乃至対応する広告ウェブページをユーザ端末１及びユーザ端末２に送信してもよい。これによって、ユーザ端末１のコミュニケーションツールはユーザ端末１の画面を分割して映像通話中であるユーザ（２）５０５と広告ウェブページ５０６とをそれぞれ表示してもよい。同様に、ユーザ端末２のコミュニケーションツール２はユーザ端末２の画面を分割して映像通話中であるユーザ（１）５０７と広告ウェブページ５０８とをそれぞれ表示してもよい。
【００５４】
図６は、本発明の第１実施形態に係るコミュニケーションサービス提供システムで同期化セッションを介して送信した制御結果データを表示する例を示す図である。
【００５５】
図６によると、ユーザ端末１及びユーザ端末２が映像通話サービスを使用し、ユーザ１によって広告６０２が選択された場合、コミュニケーションサービス提供システムは、ユーザ端末１から受信した広告選択情報に該当する広告ウェブページをユーザ端末１及びユーザ端末２に送信してもよい。これによって、ユーザ端末１のコミュニケーションツール１は、ユーザ端末１の全体画面に映像通話中であるユーザ（２）６０５を表示し、ユーザ（２）上にオーバラップ（ｏｖｅｒｌａｐ）乃至重ねて広告ウェブページ６０６を表示してもよい。同様に、ユーザ端末２のコミュニケーションツール２は、ユーザ端末２の全体画面に映像通話中であるユーザ（１）６０７を表示し、ユーザ（１）上にオーバラップ乃至重ねて広告ウェブページ６０８を表示してもよい。
【００５６】
以上の図４から図６では説明の便宜のためにコミュニケーションサービス中に映像通話サービスが使用され、端末制御情報のうち広告が用いられる場合に制御結果データをユーザ端末で表示する構成について説明したが、その他に、ユーザ端末は、メッセンジャサービス、ソーシャルネットワークサービスなどの様々なコミュニケーションサービスのうち選択したチケット前売り情報、検索サービス情報、ショッピング情報に該当する制御結果データを表示してもよい。
【００５７】
図７は、本発明の第２実施形態に係るコミュニケーションサービス提供システムの構成を示すブロック図である。
【００５８】
図７に示すように、コミュニケーションサービス提供システム７００は、情報受信部７０１及び同期化セッション設定部７０２を備える。
【００５９】
まず、情報受信部７０１は、コミュニケーションサービスを用いる複数のユーザ端末間の統合された同期化セッションを設定するための同期化セッション設定情報を複数のユーザ端末のいずれか１つから受信してもよい。例えば、コミュニケーションサービスは、映像通話サービス、音声通話サービス、ソーシャルネットワークサービス及びメッセンジャサービスなどを含んでもよい。
【００６０】
一例として、コミュニケーションサービスで映像通話サービスが用いられる場合、情報受信部７０１は、映像通話中であるユーザいずれか一人のユーザ端末から同期化セッション設定情報を受信してもよい。
【００６１】
これによって、同期化セッション設定部７０２は、同期化セッション設定情報に基づいてコミュニケーションサービスを用いている複数のユーザ端末間の統合された同期化セッションを設定してもよい。ここで、同期化セッション設定部７０２は、仮想のブラウザセッションと複数のユーザ端末それぞれのコミュニケーションツールに組込みブラウザを用いて統合された同期化セッションを設定してもよい。このようにコミュニケーションサービス提供システム７００と複数のユーザ端末との間に同期化が設定されることによって、コミュニケーションサービスを利用中である複数のユーザ端末は、同一の広告などを表示するように、同一の情報を表示してもよい。
【００６２】
ここで、複数のユーザ端末に表示される情報が複数のユーザのいずれか一人のユーザによって選択されることで端末制御情報が受信された場合、同期化セッション設定部７０２は受信された端末制御情報を加工して送信してもよい。これによって、加工された制御情報を受信したユーザ端末は、加工された制御情報に該当するブラウザ画面を表示してもよい。ここで、端末制御情報は、広告選択情報、チケット前売り情報、検索サービス情報、ショッピング情報のうち少なくとも１つを含んでもよい。
【００６３】
一例として、ユーザ端末（１）７０３から広告選択情報が受信された場合、同期化セッション設定部７０２は「広告が選択される」ことを含むように広告選択情報を加工してユーザ端末（２）７０４に送信してもよい。これによって、ユーザ端末（２）７０４は、加工された広告選択情報に基づいて広告が選択されるブラウザ画面を表示してもよい。
【００６４】
他の例として、ユーザ端末（１）７０３からチケット前売り情報が受信された場合、同期化セッション設定部７０２は「前売りチケットが選択される」ことを含むようにチケット前売り選択情報を加工してユーザ端末（２）７０４に送信してもよい。これによって、ユーザ端末（２）７０４は、加工されたチケット前売り情報に基づいて前売りしようとするチケットの時間、座席などが選択されるブラウザ画面を表示してもよい。ここで、前売りチケットは演劇、ミュージカル、映画などの公演、そして汽車、飛行機、バスなどの交通手段のチケットを含んでもよい。
【００６５】
他の例としては、ユーザ端末（１）７０３から検索サービス情報が受信された場合、同期化セッション設定部７０２は「検索語が入力される」ことを含むように検索サービス情報を加工してユーザ端末（２）７０４に送信してもよい。これによって、ユーザ端末（２）７０４は、加工された検索サービス情報に基づいて検索語が入力されるブラウザ画面を表示してもよい。
【００６６】
他の例としては、ユーザ端末（１）７０３からショッピング情報が受信された場合、同期化セッション設定部７０２は「購入または関心のある物品が選択される」ことを含むようにショッピング情報を加工してユーザ端末（２）７０４に送信してもよい。これによって、ユーザ端末（２）７０４は、加工されたショッピング情報に基づいて購入または関心物品が選択されるブラウザ画面を表示してもよい。
【００６７】
このように、コミュニケーションサービス提供システム７００は、仮想ブラウザセッション形態の１つの統合された同期化セッションを用いてコミュニケーションサービスを用いるユーザ端末間に同期化を提供することができる。いいかえると、複数のユーザ端末の表示などを同期化することができる。このような同期化によって、ユーザ端末に同一に表示される端末制御情報のうち選択された端末制御情報を加工して他のユーザ端末に提供することで、ユーザの話題または関心を端末制御情報に表示される広告などに誘引し、誘引された広告に対する関心を続けさせて維持させることができる。
【００６８】
図８は、本発明の第２実施形態に係るコミュニケーションサービス提供システムで同期化セッションを介して送信した制御結果データを表示する例を示す図である。
【００６９】
図８に示すように、ユーザ端末１及びユーザ端末２が映像通話サービスを使用しているとする。このとき、ユーザ１によって広告８０２が選択された場合、コミュニケーションサービス提供システムは、ユーザ端末１から受信した広告選択情報を加工して、ユーザ端末２に送信してもよい。これによって、ユーザ端末２は、加工された広告選択情報に基づいて広告が選択されるブラウザ画面８０４を表示してもよい。次に、ユーザ端末２は選択された広告に該当乃至対応する広告ウェブページを表示してもよい。
【００７０】
図９は、本発明の第１実施形態に係るコミュニケーションサービス提供システムの動作を説明するフローチャートである。
【００７１】
図９によると、ステップＳ９０４において、ユーザ端末９０２から同期化セッション設定情報が受信された場合、ステップＳ９０５においてコミュニケーションサービス提供システム９０１は、コミュニケーションサービスを用いているユーザ端末（１）９０２及びユーザ端末（２）９０３間に、統合された同期化セッションを設定してもよい。ここで、コミュニケーションサービス提供システム９０１は、ユーザ端末（１）９０２及びユーザ端末（２）９０３にそれぞれ組込みブラウザを用いて同期化セッションを設定してもよい。
【００７２】
一例として、コミュニケーションサービス提供システム９０１は、仮想のブラウザセッションを用いてユーザ端末１のコミュニケーションツール１に組込みブラウザ１とユーザ端末２のコミュニケーションツール２に組込みブラウザ２を同期化してもよい。
【００７３】
次に、ステップＳ９０６において、コミュニケーションサービス提供システム９０１は、同期化が設定されることによってユーザ端末（１）９０２から端末制御情報を受信してもよい。言い換えれば、同期化が設定されることによって、コミュニケーションサービスを使用しているユーザ端末（１）９０２及びユーザ端末（２）９０３は、広告や公演などのように同一の情報を表示してもよい。ここで、ユーザ１によって表示される情報が選択された場合、ユーザ端末１は選択された情報を含む端末制御情報をコミュニケーションサービス提供システム９０１に送信してもよい。ここで、端末制御情報は、広告選択情報、チケット前売り情報、検索サービス情報、ショッピング情報のうち少なくとも１つを含んでもよい。
【００７４】
そして、ステップＳ９０７において、コミュニケーションサービス提供システム９０１は、端末制御情報に該当する制御結果データを決定してもよい。
【００７５】
次に、ステップＳ９０８において、コミュニケーションサービス提供システム９０１は、制御結果データをウェブブラウザに表示などされる形態で、ユーザ端末（１）９０２及びユーザ端末（２）９０３に送信してもよい。これによって、ステップＳ９０９において、ユーザ端末（１）９０２及びユーザ端末（２）９０３は制御結果データを表示してもよい。
【００７６】
例えば、広告選択情報が受信された場合、コミュニケーションサービス提供システム９０１は、ユーザ１によって選択された広告に該当する広告ウェブページを決定してもよい。そして、コミュニケーションサービス提供システム９０１は、広告ウェブページをユーザ端末（１）９０２及びユーザ端末（２）９０３に送信してもよい。これによって、ユーザ端末（１）９０２及びユーザ端末（２）９０３は広告ウェブページを表示してもよい。
【００７７】
ここで、ユーザ２によって広告ウェブページ上の特定情報が選択された場合、ユーザ端末（２）９０３は、選択された情報に対する端末制御情報をコミュニケーションサービス提供システム９０１に送信してもよい。これによって、コミュニケーションサービス提供システム９０１は、ユーザ端末（２）９０３から受信した端末制御情報を加工してユーザ端末（１）９０２に送信してもよい。これによって、ユーザ端末（１）９０２は、加工された端末制御情報に基づいて表示される広告ウェブページのうち、ユーザ２によって選択された情報が選択されるようにブラウザ画面を生成して表示してもよい。
【００７８】
図１０は、本発明の第２実施形態に係るコミュニケーションサービス提供システムの動作を説明するフローチャートである。
【００７９】
図１０に示すように、ステップＳ１００４からステップＳ１００６で説明する同期化セッションを設定する構成及び同期化が設定されることによってユーザ端末（１）１００２から端末制御情報を受信する構成は、図９に示すステップＳ９０４からステップＳ９０６で説明した構成と同一であるため、重複する説明は省略することにする。
【００８０】
ステップＳ１００７において、コミュニケーションサービス提供システム１００１は、ユーザ端末（１）１００２から受信された端末制御情報を加工してユーザ端末（２）１００３に送信してもよい。ここで、端末制御情報は、広告選択情報、チケット前売り情報、検索サービス情報、ショッピング情報のうち少なくとも１つを含んでもよい。
【００８１】
一例として、ユーザ端末（１）１００２から受信した端末制御情報が広告選択情報である場合、コミュニケーションサービス提供システム１００１は「広告が選択される」ことを含むように広告選択情報を加工してユーザ端末（２）１００３に送信してもよい。
【００８２】
他の例として、ユーザ端末（１）１００２から受信した端末制御情報がチケット前売り情報である場合、コミュニケーションサービス提供システム１００１は「前売りチケットが選択される」ことを含むようにチケット前売り選択情報を加工してユーザ端末（２）１００３に送信してもよい。
【００８３】
他の例として、ユーザ端末（１）１００２から受信した端末制御情報が検索サービス情報である場合、コミュニケーションサービス提供システム１００１は「検索語が入力される」ことを含むように検索サービス情報を加工してユーザ端末（２）１００３に送信してもよい。
【００８４】
他の例として、ユーザ端末（１）１００２から受信した端末制御情報がショッピング情報である場合、コミュニケーションサービス提供システム１００１は「購入または関心のある物品が選択される」ことを含むようにショッピング情報を加工してユーザ端末（２）１００３に送信してもよい。
【００８５】
次に、ステップＳ１００８において、ユーザ端末（２）１００３は、加工された端末制御情報に基づいてユーザ１によって選択された情報が選択されるようにブラウザ画面を生成してもよい。そして、ユーザ端末（２）１００３は生成したブラウザ画面を表示してもよい。例えば、ユーザ１によって広告が選択された場合、ユーザ端末（２）１００３は、ユーザ端末（２）１００３に表示されている情報のうちユーザ１が選択した広告が選択されるようにブラウザ画面を生成して表示してもよい。
【００８６】
本発明の実施形態に係るコミュニケーションサービス提供方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。
【００８７】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００８８】
したがって、本発明の範囲は、開示された実施形態に限定されるものではなく、特許請求の範囲だけではなく特許請求の範囲と均等なものなどによって定められるものである。
【符号の説明】
【００８９】
１００      コミュニケーションサービス提供システム
１０１      仮想ブラウザセッション
１０２      ユーザ端末（１）
１０３      コミュニケーションツール（１）
１０４      ブラウザ（１）
１０５      ユーザ端末（１）
１０６      コミュニケーションツール（２）
１０７      ブラウザ（２）
【図１】
0005706370.tif 000002
【図２】
0005706370.tif 000003
【図３】
0005706370.tif 000004
【図４】
0005706370.tif 000005
【図５】
0005706370.tif 000006
【図６】
0005706370.tif 000007
【図７】
0005706370.tif 000008
【図８】
0005706370.tif 000009
【図９】
0005706370.tif 000010
【図１０】
0005706370.tif 000011